(57)【要約】【課題】カバーケースを本体ケースに被せるときに電線の噛み込みが生じ難いリレーボックスを提供する。【解決手段】上面が開放した略直方体形状に形成され、リレーを保持するリレーホルダを収容するようになっていて、かつ一側面部２０ｂの上部にリレーに接続された電線１４を導出する樋部２４を突出して有する本体ケース２０と、本体ケース２０に被せられるカバーケース３０と、を備え、本体ケース２０の両側面部２０ａの各外面に横方向に延在するスライドガイド２２が突設され、カバーケース３０の両側面部３０ｂの各内面に横方向に延在する被ガイド部材３２が突設され、両側の被ガイド部材３２が樋部２４と離れた側からスライドガイド２２に係合されるとともに、被ガイド部材３２とスライドガイド２２との係合によりカバーケース３０の上面部３０ａが電線１４を挟まないよう本体ケース２０の上端面部２０ｅから離間している。【選択図】図１
2017169421.tif 000002
【特許請求の範囲】
【請求項１】
上面が開放した略直方体形状に形成され、前記上面より内部にリレーを保持するリレーホルダを収容するようになっていて、かつ一側面部の上部に前記リレーに接続された電線を導出する樋部を突出して有する本体ケースと、
上面部と３つの側面部とを有し、前記上面部が前記本体ケースの上面を閉塞しかつ前記３つの側面部が前記本体ケースの３つの側面部の外側に被せられるカバーケースと、を備え、
前記本体ケースの前記樋部を有する側面部の両隣の両側面部の各外面に横方向に延在するスライドガイドが突設され、前記カバーケースの、前記一対のスライドガイドに対応する両側面部の各内面に横方向に延在する被ガイド部材が突設され、
両側の前記被ガイド部材が前記樋部と離れた側から前記スライドガイドに係合されるようになっているとともに、前記被ガイド部材と前記スライドガイドとの係合により前記カバーケースの上面部が前記電線を挟まないよう前記本体ケースの上端面部から離間していることを特徴とするリレーボックス。
【請求項２】
前記本体ケースに前記カバーケースが被せられたときに、前記本体ケースの前記各側面部と該各側面部に対応する前記カバーケースの前記各側面部との間の間隔が、前記電線の径のうち最小の径より狭くなっていることを特徴とする請求項１に記載のリレーボックス。
【請求項３】
前記樋部を避ける湾部を有し、かつ前記本体ケースの前記樋部を有する前記一側面部に被せられ係止される蓋部をさらに備えることを特徴とする請求項１または２に記載のリレーボックス。
【請求項４】
前記蓋部は、前記カバーケースの前記上面部における前記一側面部側の端縁にヒンジを介して取り付けられ、前記蓋部の内面側に第１係止部を有し、前記本体ケースは、前記樋部を有する前記一側面部の外面側に前記第１係止部に解除可能に係止される第２係止部を有することを特徴とする請求項３に記載のリレーボックス。
【発明の詳細な説明】
【技術分野】
【０００１】
本発明は、リレーボックスに関する。
【背景技術】
【０００２】
従来、自動車内にはリレーを収容したリレーボックスが使用されている。リレーボックスは、本体ケースとカバーケースとを有し、本体ケースにカバーケースが被せられて形成されるケース内部にリレーを収容している（例えば、特許文献１参照）。
【０００３】
特許文献１には、アッパーケース（カバーケース）とロアケース（本体ケース）とで形成されたケース内部にリレーコネクタを取り付けたリレーコネクタホルダーを収容係止するリレーボックスが開示されている。リレーコネクタに接続された電線は、ロアケースの一側に設けられた電線導出部に沿ってケース内より外部に導出されるようになっている。また、ロアケースに上方からアッパーケースを嵌め込むことでロアケースの上面を閉鎖している。この際、アッパーケースに設けられた被ロック枠が、ロアケースに設けられたロック爪と係合することで、ケースの閉鎖状態がロックされる。
【先行技術文献】
【特許文献】
【０００４】
【特許文献１】特開２００４−５６８６３号公報
【発明の概要】
【発明が解決しようとする課題】
【０００５】
しかしながら、特許文献１に記載のようにロアケースに上方からアッパーケースを嵌め込む構造のリレーボックスにあっては、ロアケースにアッパーケースを上から被せる際に、ケースからはみ出た電線（特にケース内に収容したリレー間でループ回路を構成する電線）がロアケースとアッパーケースの間に挟まり、断線等の損傷を受けてしまうという問題があった。
【０００６】
図７はこの問題を説明する説明図であり、従来のリレーボックス７０の構成を示している。本体ケース８０にカバー９０を被せる際に、本体ケース８０からはみ出た電線１４が両者の間に挟まれ易く、特に、ロック爪９２が本体ケース８０のロック凹部８２に係合する箇所で電線１４の噛み込みが生じやすい。図７では、板状のカバー９０が用いられているが、板状のカバー９０の代わりに、特許文献１に記載のように、カバーケースが本体ケースに被せられる場合においても同様の問題が生じる。
【０００７】
本発明は、上述のような課題を解決するためになされたもので、カバーケースを本体ケースに被せるときに電線の噛み込みが生じ難いリレーボックスを提供することを目的とする。
【課題を解決するための手段】
【０００８】
本発明に係るリレーボックスは、上記目的達成のため、上面が開放した略直方体形状に形成され、前記上面より内部にリレーを保持するリレーホルダを収容するようになっていて、かつ一側面部の上部に前記リレーに接続された電線を導出する樋部を突出して有する本体ケースと、上面部と３つの側面部とを有し、前記上面部が前記本体ケースの上面を閉塞しかつ前記３つの側面部が前記本体ケースの３つの側面部の外側に被せられるカバーケースと、を備え、前記本体ケースの前記樋部を有する側面部の両隣の両側面部の各外面に横方向に延在するスライドガイドが突設され、前記カバーケースの、前記一対のスライドガイドに対応する両側面部の各内面に横方向に延在する被ガイド部材が突設され、両側の前記被ガイド部材が前記樋部と離れた側から前記スライドガイドに係合されるようになっているとともに、前記被ガイド部材と前記スライドガイドとの係合により前記カバーケースの上面部が前記電線を挟まないよう前記本体ケースの上端面部から離間している構成となっている。
【０００９】
この構成により、カバーケースが本体ケースに横スライドして被せられるので、本体ケースからはみ出た電線をカバーケースと本体ケースとで上下に挟み込み難くなっている。また、カバーケースの上面部が電線を挟まないよう本体ケースの上端面部から離間しているので、カバーケースの上面部と本体ケースの上端面部との間で電線の噛み込みは生じない。また、カバーケースのロック爪と本体ケースのロック凹部とが上下に係合する従来のロック部が存在しないので、ロック部で電線を噛み込むこともない。
【００１０】
また、前記本体ケースに前記カバーケースが被せられたときに、前記本体ケースの前記各側面部と該各側面部に対応する前記カバーケースの前記各側面部との間の間隔が、前記電線の径のうち最小の径より狭くなっている構成としてもよい。
【００１１】
この構成により、カバーケースが横スライドして本体ケースに被せられるとき、本体ケースの側面部とカバーケースの側面部との間に電線が入り込むことがない。
【００１２】
また、前記樋部を避ける湾部を有し、かつ前記本体ケースの前記樋部を有する前記一側面部に被せられ係止される蓋部をさらに備える構成としてもよい。
前記樋部を避ける湾部を有し、かつ前記本体ケースの前記樋部を有する前記一側面部に被せられ係止される蓋部をさらに備える
【００１３】
この構成により、本体ケースにおける樋部を有する側面部の上端とカバーケースの上面部との間に形成された開放部を、樋部を除いて閉鎖することができるので、該開放部から電線がはみ出すことがない。
【００１４】
また、前記蓋部は、前記カバーケースの前記上面部における前記一側面部側の端縁にヒンジを介して取り付けられ、前記蓋部の内面側に第１係止部を有し、前記本体ケースは、前記樋部を有する前記一側面部の外面側に前記第１係止部に解除可能に係止される第２係止部を有する構成としてもよい。
【００１５】
この構成により、本体ケースにカバーケースを装着する際には、蓋部をヒンジにより上方に回動させた状態に保持してカバーケースを本体ケースに横スライドさせて被せた後、蓋部を下方に回動させた状態で本体ケースにロックする操作を行なう。これにより、蓋部を回動させるという簡単な操作で蓋部を閉じることができるので、カバーケースの装着作業が容易になる。また、蓋部がヒンジを介してカバーケースに取り付けられているので、紛失することもない。
【発明の効果】
【００１６】
本発明によれば、カバーケースを本体ケースに被せるときに電線の噛み込みが生じ難いリレーボックスを提供することができる。
【図面の簡単な説明】
【００１７】
【図１】本発明の実施の形態に係るリレーボックスの概略斜視図であり、カバーケースを本体ケースに被せる前の状態を示す。
【図２】図１のＡ−Ａ断面図である。
【図３】本発明の実施の形態に係るリレーボックスの概略斜視図であり、カバーケースを横スライドさせて本体ケースに被せた状態を示す。
【図４】本発明の実施の形態に係るリレーボックスの概略斜視図であり、カバーケースを横スライドさせて本体ケースに被せた後、蓋部を閉じてロックした状態を示す。
【図５】本発明の実施の形態に係るリレーボックスの概略正面図であり、図５（ａ）は蓋部が開いた状態を示し、図５（ｂ）は蓋部が閉じてロックされた状態を示す。
【図６】図５（ａ）のＣ−Ｃ断面図である。
【図７】従来のリレーボックスを示す説明図である。
【発明を実施するための形態】
【００１８】
以下、本発明の実施の形態に係るリレーボックスについて図面を参照して説明する。
【００１９】
図１に示すように、本発明の実施の形態に係るリレーボックス１０は、本体ケース２０と、カバーケース３０と、を備えている。
【００２０】
本体ケース２０は、合成樹脂成形品であり、上面が開放した略直方体形状に形成されている。また、図２に示すように、本体ケース２０は、上面より内部にリレー１２を保持するリレーホルダ１６を収容するようになっている。また、本体ケース２０は、一側面部２０ｂの上部にリレー１２に接続された電線１４を導出する樋部２４を突出して有している。
【００２１】
具体的には、リレー１２のリレー端子１２ａが、リレーコネクタ１３の端子収容孔１３ａに一方の側から挿入され、電線１４の端部に取り付けられた端子１４ａが、端子収容孔１３ａの他方の側から挿入され、端子収容孔１３ａ内で直接に雌雄嵌合することで、電気的な接続状態を保持している。あるいは、端子収容孔１３ａの中央位置にモールドされる銅管にリレー端子１２ａと電線側の端子１４ａが接続されるようにしてもよい。リレー１２およびリレーコネクタ１３は、リレーホルダ１６に形成された収容空間に収容され保持されている。リレーホルダ１６は、本体ケース２０の内面側に取り付けられるようになっている。
【００２２】
リレーコネクタ１３に接続された電線１４は、本体ケース２０の樋部２４から外部に導出されるか、あるいは同一または別のリレーコネクタ１３に接続されてループ回路を構成している。
【００２３】
図１に示すように、カバーケース３０は、合成樹脂成形品であり、上面部３０ａと３つの側面部３０ｂ、３０ｂ、３０ｃとを有し、上面部３０ａが本体ケース２０の上面を閉塞しかつ３つの側面部３０ｂ、３０ｂ、３０ｃが本体ケース２０の３つの側面部２０ａ、２０ａ、２０ｃの外側にそれぞれ被せられるようになっている。
【００２４】
本実施形態に係るリレーボックス１０は、さらに蓋部３４を有している。蓋部３４は、樋部２４を避ける矩形状の湾部３４ａを有し、本体ケース２０の樋部２４を有する一側面部２０ｂに被せられ係止されるようになっている。蓋部３４は、カバーケース３０が本体ケース２０に被せられた状態で、本体ケース２０の側面部２０ｂの上端とカバーケース３０の上面部３０ａとの間に形成された開放部４２（図５（ａ）参照）を、樋部２４を除いて閉鎖するようになっている。
【００２５】
具体的には、蓋部３４は、カバーケース３０の上面部３０ａの開放した側面側（装着時に本体ケース２０の側面部２０ｂに対応する側）の端縁にヒンジ３５を介して取り付けられている。蓋部３４は、カバーケース３０と一体で成形され、カバーケース３０の上面部３０ａの該端縁にて上部側に形成された切り込みによりヒンジ３５が形成されている。蓋部３４は、このヒンジ３５により、図３に示す開状態から図４に示す閉状態になるように、またはその逆に回動することができる。
【００２６】
蓋部３４は、その内面側に第１係止部３６を有している。また、本体ケース２０は、樋部２４を有する側面部２０ｂの外面側に第１係止部３６に解除可能に係止される第２係止部２６を有している。本実施形態では、第１係止部３６は凸状部材であり、第２係止部２６は凹状部材であるが、第１係止部３６を凹状部材とし、第２係止部２６を凸状部材としてもよい。
【００２７】
次に、カバーケース３０をスライドさせる機構について説明する。
図１に示すように、本体ケース２０の樋部２４を有する側面部２０ｂの両隣の両側面部２０ａ、２０ａの各外面に、横方向に延在するスライドガイド２２が突設されている。また、カバーケース３０における、一対のスライドガイド２２、２２に対応する両側面部３０ｂ、３０ｂの各内面に、横方向に延在する被ガイド部材３２が突設されている。そして、両側の被ガイド部材３２、３２が樋部２４と離れた側からスライドガイド２２に係合されるようになっている。
【００２８】
具体的には、スライドガイド２２は、本体ケース２０の各側面部２０ａと一体で設けられたスライド溝形成部材２３により形成された溝形であり、本体ケース２０の各側面部２０ａの略全幅にわたって形成されている。この溝形のスライドガイド２２における樋部２４に近い方の端部２２ｂは閉鎖しており、その反対側の端部２２ａは開放している。
【００２９】
被ガイド部材３２は、カバーケース３０の各側面部３０ｂと一体で設けられた長細い直方体形状の凸状の部材であり、カバーケース３０の各側面部３０ｂの略全幅にわたって形成されている。
【００３０】
カバーケース３０の装着時には、図１に示すように、カバーケース３０の開放された側面側の被ガイド部材３２の先端部３２ａを、本体ケース２０のスライドガイド２２の開放された端部２２ａから嵌め入れ、横スライドさせるようにする。被ガイド部材３２は、その先端部３２ａがスライドガイド２２の閉鎖された端部２２ｂに突き当るまで横スライドできるようになっている。
【００３１】
スライドガイド２２は、その開放した端部２２ａにおいて、端に近づくほど溝幅が広くなるように構成すると、被ガイド部材３２の先端部３２ａを溝内に導き易くなり、装着作業が容易になるので好ましい。
【００３２】
本実施形態では、スライドガイド２２を溝形の部材とし、被ガイド部材３２を凸状の部材としているが、これに限定されない。例えば、スライドガイド２２を細長い直方体形状の凸状の部材とし、被ガイド部材３２を溝形の部材としてもよい。
【００３３】
また、本実施形態に係るリレーボックス１０は、図５（ａ）に示すように、被ガイド部材３２とスライドガイド２２との係合によりカバーケース３０の上面部３０ａが電線１４を挟まないよう本体ケース２０の上端面部２０ｅから離間している。
【００３４】
また、本実施形態では、本体ケース２０にカバーケース３０が被せられたときに、本体ケース２０の各側面部２０ａと該各側面部２０ａに対応するカバーケース３０の各側面部３０ｂとの間の間隔Ｄ（図６参照）が、電線１４の径のうち最小の径より狭くなるよう構成されている。すなわち、本体ケース２０の各側面部２０ａとカバーケース３０の対応する各側面部３０ｂとの間の隙間に、電線１４が入り込むことができないようになっている。
【００３５】
次に、本実施形態に係るリレーボックス１０の組付手順を説明する。
まず、リレーコネクタ１３の端子収容孔１３ａの一方から電線１４の端部に取り付けられた端子１４ａを挿入し、他方からリレー１２のリレー端子１２ａを挿入して、電線１４の端子１４ａとリレー端子１２ａとの電気的接続状態を保持する。次いで、リレー１２およびリレーコネクタ１３をリレーホルダ１６に取り付け、リレーホルダ１６を本体ケース２０の内面側に装着する（図２参照）。
【００３６】
次に、リレーコネクタ１３に接続された電線１４を樋部２４から導出する状態に整える。このとき、図１に示すように、電線１４が暴れて本体ケース２０からはみ出してしまう場合もある。
【００３７】
次に、図１に示すように、カバーケース３０を本体ケース２０に樋部２４の側とは反対側から横スライドにより被せる。このとき、横スライドしていくカバーケース３０の両側面部３０ｂ、３０ｂの前端部が、本体ケース２０の両側面部２０ａ、２０ａの上端からはみ出した電線１４に当たって、はみ出た電線１４を本体ケース２０の内部に押し戻すように作用する。また、カバーケース３０の後側の側面部３０ｃの内側面が、本体ケース２０の側面部２０ｃの上端からはみ出した電線１４に当たって、はみ出た電線１４を本体ケース２０の内部に押し戻すように作用する。よって、被ガイド部材３２の先端部３２ａがスライドガイド２２の閉鎖した端部２２ｂに突き当り横スライドが終了した時点で、本体ケース２０の３つの側面部２０ａ、２０ａ、２０ｃの上端から外方にはみ出している電線は無くなっている。
【００３８】
次に、図３の矢印Ｂで示すように蓋部３４を閉じ、蓋部３４の第１係止部３６を本体ケース２０の第２係止部２６に係合ロックする。本実施形態では、蓋部３４を閉じるときだけ、本体ケース２０の側面部２０ｂの上端からはみ出した電線１４を挟み込まないように注意すればよい。以上で組付手順が完了する。図４は組付が完了した状態のリレーボックス１０を示す。
【００３９】
次に、作用・効果について説明する。
本実施の形態に係るリレーボックス１０では、カバーケース３０が本体ケース２０に横スライドして被せられるので、本体ケース２０からはみ出た電線１４をカバーケース３０と本体ケース２０とで上下に挟み込み難くなっている。また、カバーケース３０の上面部３０ａが電線１４を挟まないよう本体ケース２０の上端面部２０ｅから離間しているので、カバーケース３０の上面部３０ａと本体ケース２０の上端面部２０ｅとの間で電線１４の噛み込みは生じない。また、カバーケースのロック爪と本体ケースのロック凹部とが上下に係合する従来のロック部が存在しないので、ロック部で電線を噛み込むこともない。
【００４０】
また、本実施の形態に係るリレーボックス１０は、本体ケース２０の各側面部２０ａとカバーケース３０の対応する各側面部３０ｂとの間の隙間に、電線１４が入り込むことができない構造になっている。これにより、カバーケース３０が横スライドして本体ケース２０に被せられるとき、本体ケース２０の側面部２０ａとカバーケース３０の側面部３０ｂとの間に電線１４が噛み込まれて断線等の損傷を生じることがない。
【００４１】
また、本実施の形態に係るリレーボックス１０は、本体ケース２０における樋部２４を有する側面部２０ｂの上端とカバーケース３０の上面部３０ａとの間に形成された開放部４２を、樋部２４を除いて閉鎖することができるので、該開放部４２から電線１４がはみ出すことがない。
【００４２】
また、本実施の形態に係るリレーボックス１０では、本体ケース２０にカバーケース３０を装着する際には、蓋部３４をヒンジ３５により上方に回動させた状態に保持してカバーケース３０を本体ケース２０に横スライドさせて被せた後、蓋部３４を下方に回動させた状態で本体ケース２０にロックする操作を行なう。これにより、蓋部３４を回動させるという簡単な操作で蓋部３４を閉じることができるので、カバーケース３０の装着作業が容易になる。また、蓋部３４がヒンジ３５を介してカバーケース３０に取り付けられているので、紛失することもない。
【００４３】
（別の実施形態）
上記実施形態では、蓋部３４は、ヒンジ３５によりカバーケース３０に一体で取り付けられているが、蓋部３４をカバーケース３０とは分離して別体として構成してもよい。この場合には、本体ケース２０の側面部２０ｂやカバーケース３０の両側面部３０ｂ、３０ｂの前端面等に、凹部等の取り付け用部材を設け、蓋部３４の内面側に凸部等の取り付け用部材を設け、両者を着脱自在に係合させることで蓋部３４を装着するようにしてもよい。
【００４４】
また、上記実施形態では、本体ケース２０の各側面部２０ａとカバーケース３０の各側面部３０ｂとの間の隙間に電線１４が入り込まないように、隙間の幅が電線１４の径より狭くなるようにしたが、この隙間の幅が電線１４の径より十分広くなるように構成してもよい。このようにすると、該隙間に電線１４が入り込むことはできるが、電線１４が圧迫されることはなく、電線１４に断線等の損傷を生じることもない。
【００４５】
以上のように、本発明は、カバーケースを本体ケースに被せるときに電線の噛み込みが生じ難いという効果を有し、リレーボックス全般に有用である。
【符号の説明】
【００４６】
１０  リレーボックス
１２  リレー
１４  電線
１６  リレーホルダ
２０  本体ケース
２０ａ  側面部
２０ｅ  上端面部
２２  スライドガイド
２４  樋部
２６  第２係止部
３０  カバーケース
３０ｂ  側面部
３２  被ガイド部材
３４  蓋部
３５  ヒンジ
３６  第１係止部
【図１】
2017169421.tif 000003
【図２】
2017169421.tif 000004
【図３】
2017169421.tif 000005
【図４】
2017169421.tif 000006
【図５】
2017169421.tif 000007
【図６】
2017169421.tif 000008
【図７】
2017169421.tif 000009